(57)【要約】【課題】  ２色印刷での表現力の低下を防止し、更に、使われないイメージドラムの寿命が短縮するのを防止する。【解決手段】  色彩対選択手順Ｓ１で複数の色彩の中から２色印刷に用いる色彩対を選択入力させ、印刷データ分離手順Ｓ３で印刷データを印刷形態の異なるデータに分離し、印刷データ展開手順Ｓ３で上記色彩対の一方の色彩を用いて上記形態の異なる一方のデータを色変換して展開し、上記色彩対の他方の色彩を用い上記形態の異なる他のデータを色変換して展開し、イメージドラムアップダウン手順Ｓ４で上記色彩対以外の色彩で画像を形成するためのイメージドラムを判定して非稼働状態に保持する。【選択図】        図１
2005074983.tif 000002
【特許請求の範囲】
【請求項１】
印刷データに基づいてそれぞれ異なる２色の色彩で画像を形成する画像形成方法であって、
前記印刷データを印刷形態の異なるデータに分離する印刷データ分離手順と、
前記２色の色彩の一方の色彩を用いて前記形態の異なる一方のデータを色変換して展開し、前記２色の色彩の他方の色彩を用いて前記形態の異なる他のデータを色変換して展開する印刷データ展開手順とを備えることを特徴とする画像形成方法。
【請求項２】
請求項１に記載の画像形成方法に於いて、
前記２色の色彩の一方の色彩は黒であり、
前記印刷データ展開手順は、黒色を用いて画像データをグレースケールし、前記２色の色彩の他方の色彩を用いて前記画像データ以外の形態の異なるデータを色変換することを特徴とする画像形成方法。
【請求項３】
請求項１又は請求項２に記載の画像形成方法に於いて、
所定の位置に装着されているイメージドラムの各々が有する色彩を表す色情報を取得する色情報取得手順と、
前記色情報に基づいて、前記形態の異なるデータを振り分ける、振り分け規則を設定するデータ振り分け設定手順とを更に備えることを特徴とする画像形成方法。
【請求項４】
媒体に画像を形成する画像形成装置であって、
多色の印刷データを受信する受信部と、
受信した印刷データの第一印刷形態のデータから単色の第一画像を形成し、該第一印刷形態とは異なる第二印刷形態のデータから２色の第二画像を形成することを特徴とする画像形成装置。
【請求項５】
請求項４に記載の画像形成装置に於いて、
前記第二の印刷形態は文字データであって、
前記受信した印刷データから前記第一の印刷形態である画像データを判断する画像データ判断部と、該画像データ判断部が判断した画像データから単色の画像を形成する第一画像形成部を備えることを特徴とする画像形成装置。
【請求項６】
請求項４に記載の画像形成装置に於いて、
前記受信した印刷データから前記第二の形態である文字データを判断する文字データ判断部と、該文字データ判断部が判断した文字データから２色の文字画像を形成する第二画像形成部を備えることを特徴とする画像形成装置。
【請求項７】
請求項４に記載の画像形成装置に於いて、
前記受信した印刷データから前記第二の形態である図形データから２色の図形画像を形成する第二を判断する画像形成部を備えることを特徴とする画像形成装置。
【発明の詳細な説明】
【技術分野】
【０００１】
本発明は、カラープリンタ等の画像形成装置に於ける画像形成方法に関する。
【背景技術】
【０００２】
電子写真プリンタ等の画像形成装置では、上位装置から送られてくる画像情報が、印刷データに変換される。画像形成装置の内部では、感光ドラムが帯電ローラで負に帯電され、ＬＥＤヘッドで上記印刷データの静電潜像が形成される。この静電潜像に現像ローラ、トナー搬送ローラ、現像ブレード等を用いてトナー像が形成される。このトナー像は、転写装置で印刷用紙上へ転写される。この過程で感光ドラム上に残ったトナーは、クリーニング装置で除去される。
【０００３】
又、カラー電子写真プリンタ等では、ブラックイメージドラム、イエローイメージドラム、マゼンタイメージドラム、及びシアンイメージドラムを、Ｋ（ブラック）、Ｙ（イエロー）、Ｍ（マゼンタ）、Ｃ（シアン）、の各色彩に対応させて備えている。これら４個のイメージドラムは、画像形成装置内の所定の位置に装着される。これら４個のイメージドラムのそれぞれに、所定の色彩の印刷データが伝送される。４個のイメージドラムは、各々の印刷データに基づく画像を印刷用紙上に再現する。このようにしてカラー画像が再現される。かかる従来のカラー電子写真プリンタ等に於いて、印刷データを画像データ、図形データ、文字データに分離して、モノクロ画像等を効果的に再現するための技術等が既に公開されている（例えば、特許文献１参照）。
【０００４】
上記従来のカラー電子写真プリンタ等では、カラー画像情報を受け入れて２色のみで印刷したい場合には、表現力の低下を防止するためのデータ処理が必要であった。又、２色の画像を再現する場合であっても、印刷動作させるためにはＹ、Ｍ、Ｃ、Ｋ各色彩用としての４個のイメージドラムの全てが、画像形成装置内の所定の位置にそれぞれ装着されている必要が有った。従って、２色印刷に用いられないイメージドラムも稼働状態に保持されたままなので、その寿命を低下させていた。更に、その所定の位置は、予め設定されており、変更が不能であった。その結果、文字データの一部を他の色彩を用いて強調する場合等、該他の色彩が限定されていない場合であっても、２色のみの印刷を長時間継続することが難しいという解決すべき課題が残されていた。
【特許文献１】特開平１０−２８９０７９号公報（要約）
【発明の開示】
【発明が解決しようとする課題】
【０００５】
解決しようとする問題点は、カラー画像情報を受け入れて２色のみで印刷したい場合には、表現力の低下を防止するためのデータ処理が必要であった点と、２色のみの印刷を長時間継続することが難しいという点である。
【課題を解決するための手段】
【０００６】
印刷データに基づいてそれぞれ異なる２色の色彩で画像を形成する画像形成方法であって、複数の色彩の中から２色印刷に用いる色彩対を選択入力させる色彩対選択手順と、上記印刷データを印刷形態の異なるデータに分離する印刷データ分離手順と、上記色彩対の一方の色彩を用いて上記形態の異なる一方のデータを色変換して展開し、上記色彩対の他方の色彩を用いて上記形態の異なる他のデータを色変換して展開する印刷データ展開手順と、上記色彩対以外の色彩で画像を形成するためのイメージドラムを判定して非稼働状態に保持するイメージドラムアップダウン手順とを備える。
【発明の効果】
【０００７】
予め選定されている複数個の色彩対の中から２色印刷に用いる再現色彩対を選択させる色彩対選択手順と、印刷データを該印刷データに含まれている種類の異なるデータ毎に分離する印刷データ分離手順と、再現色彩対の一方の色彩を用いて種類の異なるデータの一つを色変換して展開し、再現色彩対の他方の色彩を用いて種類の異なるデータの残りを色変換して展開する印刷データ展開手順を備えることによって２色印刷での表現力の低下を防止する。又、再現色彩対以外の色彩を有するイメージドラムを選択して非稼働状態に保持するイメージドラムアップダウン手順を備える。こうすることによって、使われないイメージドラムのドラム面が用紙と非接触の状態に保持されるので摩擦によってドラム寿命が短縮することが無くなる。
【０００８】
更に、所定の位置に装着されているイメージドラムの各々が有する色彩を表す色情報を取得する色情報取得手順と、色情報に基づいて、データを振り分ける振り分け規則を設定するデータ振り分け設定手順とを備えることによって、画像形成装置の所定の位置に所定のイメージドラムが装着されていない場合であっても、２色印刷のみを長時間実行することが可能になる。
【発明を実施するための最良の形態】
【０００９】
本発明では、予め選定されている複数個の色彩対の中から２色印刷に用いる再現色彩対を利用者に選択させ、印刷データを該印刷データに含まれている種類の異なるデータ、例えば画像データ、図形データ、文字データなどに分離し、再現色彩対の一方の色彩（通常黒色）を用いて画像データをグレースケールに色変換して展開し、再現色彩対の他方の色彩を用いて種類の異なるデータの残り、即ち、図形データ及び文字データを色変換して展開する。こうすることによって、２色印刷での表現力の低下を防止する。更に、再現色彩対以外の色彩を有するイメージドラムを選択して非稼働状態に保持する。その結果２色印刷に用いられない色彩のイメージドラムの寿命低下を防止することができる。以下、本発明の実施の形態を実施例を用いて説明する。
【実施例】
【００１０】
図１は、実施例の基本動作のフローチャートである。
図に示すように実施例の画像形成方法はステップＳ１〜ステップＳ４まで４つの工程を含んでいる。ここで、この４つの工程の詳細について説明する前に、かかる画像形成方法が適用される一例としてカラープリンタを例に挙げ、本発明の説明に必要な部分について、他の図を用いて、その概要を説明する。
【００１１】
図２は、画像形成装置の説明図である。
図より本発明の画像形成方法が適用される画像形成装置の一例としてのカラープリンタは、画像処理部１１と、画像形成部１２とを備える。
画像処理部１１は、上位装置２３から画像情報を受け入れて印刷データを作成し、画像形成部１２へ送出する部分である。その内部には制御部１３と表示部１４とを有している。
【００１２】
制御部１３は、上位装置２３から受け入れた画像情報を印刷データに変換する部分である。又、後に詳細に説明するように、印刷データを画像データ、文字データ、図形データなどの種類の異なるデータに分離する部分である。更に装置全体の制御を行うマイクロプロセッサでもある。表示部１４は、利用者に印刷条件などの諸条件を選択させるべくディスプレイ上に所定の事項を表示して案内する部分である。ここで図３を用いて本発明の画像形成方法に係る案内表示の一例について説明する。
【００１３】
図３は、案内画面の説明図（その１）である。
図に示すように、利用者は、プリンタ名２７に現在接続されているプリンタ名、印刷部数２８、印刷対象２９、１枚あたりのページ数２５、用紙サイズの指定２６等の印刷処理に関わる一般的事項の入力が求められる。これらの事項を入力した後、利用者がＯＫボタン２４を押すことによってアプリケーションソフトのデータがプリンタ言語に変換され画像形成部１２のメカニカル制御部１５へ送出される。次に利用者がプロパティボタン３０を押すと、本発明の画像形成方法に関わる詳細設定が要求される。
【００１４】
図４は、案内画面の説明図（その２）である。
図の最上部に表されている、用紙、レイアウト、カラー、印刷品位、ウォータマーク、フォント、オーバーレイをマウスでクリックすると各項目の詳細設定に移行する。ここでは本発明に直接関係するカラー３７をマウスでクリックした場合のみについて説明する。カラーを選択すると、カラーモードの項目の一つとして２色印刷モード３３が表示され、これをマウスでクリックすることで２色印刷モードが有効になる（○が◎に換わる）。その下には、２色印刷モードの詳細があり、黒／赤モード３４、黒／青モード３５、黒／黄モード３６の各モードをマウスでクリックして選択することになる。ここでは黒／赤モード３４、を選択したものと仮定して黒／赤モード３４が、有効になる（○が◎に換わる）。
【００１５】
図２に戻って画像形成部１２は、画像処理部１１から印刷データを受け入れて印刷用紙２２上に画像を再現する部分であり、メカニカル制御部１５、ブラックイメージドラム１６、イエローイメージドラム１７、マゼンタイメージドラム１８、シアンイメージドラム１９、定着ユニット２０、ベルトユニット２１とを有している。
【００１６】
メカニカル制御部１５は、ブラックイメージドラム１６、イエローイメージドラム１７、マゼンタイメージドラム１８、及びシアンイメージドラム１９のそれぞれに各１個（１５−Ｋ、１５−Ｙ、１５−Ｍ、１５−Ｃ）配置され、制御部１３からコントロール信号を受け入れて画像形成部１２の機構制御を実行する部分である。又、画像処理部１１から送られてくる印刷データを所定の規則に基づいてブラックイメージドラム１６、イエローイメージドラム１７、マゼンタイメージドラム１８、及びシアンイメージドラム１９の各々に振り分けるレジスタを有する部分でもある。
【００１７】
ブラックイメージドラム１６、イエローイメージドラム１７、マゼンタイメージドラム１８、及びシアンイメージドラム１９は、着脱可能な構造を有し、印刷データを受け入れて印刷用紙２２上に画像を再現する部分である。ブラックイメージドラム１６は黒色（Ｋ）のトナーを、イエローイメージドラム１７は黄色（Ｙ）のトナーを、マゼンタイメージドラム１８はマゼンタ（Ｍ）のトナーを、シアンイメージドラム１９はシアン（Ｃ）のトナーを、それぞれ用いて画像を再現する。
【００１８】
定着ユニット２０は、印刷用紙２２上に転写された各色彩のトナーを印刷用紙２２上に定着する部分である。
ベルトユニット２１は、図中左から右へ印刷用紙２２を搬送させる部分である。以上で本発明の画像形成方法が適用されるカラープリンタの、本発明の説明に必要な部分の概略説明を終了し、再度図１に戻って本発明の画像形成方法について説明する。
【００１９】
図１より、実施例の画像形成方法は、利用者によってカラープリンタに電源が投入されると以下に記すステップＳ１〜ステップＳ４までの４工程を経て印刷用紙上に画像が再現される。まず最初にこの図を用いて全工程の概要を説明し、その後に主な工程毎に他の図を用いて、その詳細について説明する。
ステップＳ１
ウォーミングアップ処理工程であり、定着ユニット２０（図２）の温度をある程度まで上昇させるための動作や、印刷濃度の補正、イメージドラムの有無検出などプリンタが稼働できるまでの準備処理が実行される。
【００２０】
ステップＳ２
受信処理工程であり、画像処理部１１（図２）が上位装置２３（図２）から画像情報を受け入れて内部に所持する受信用バッファ（図示しない）に格納する工程である。この工程で、予め選定されている複数個の色彩対の中から２色印刷に用いられる再現色彩対を利用者に選択させる色彩対選択手順が実行される。
【００２１】
ステップＳ３
展開処理工程であり、上記受信用バッファに格納されている画像情報を制御部１３（図２）が、印刷データに変換し、各種類（画像データ、文字データ、図形データ）毎に分離し、それぞれ所定の色変換をして内部に所持するページバッファ（図示しない）に格納する工程である。この工程で、印刷データを該印刷データに含まれている種類の異なるデータ毎に分離する印刷データ分離手順と、再現色彩対の一方の色彩を用いて種類の異なるデータの一つを色変換して展開し、再現色彩対の他方の色彩を用いて種類の異なるデータの残りを色変換して展開する印刷データ展開手順とが実行される。
【００２２】
ステップＳ４
印刷処理工程であり、制御部１３（図２）の制御に基づいて、各メカニカル制御部１５（図２）が各イメージドラム、定着ユニット２０、ベルトユニット２１などを駆動して印刷用紙２２（図２）に画像を再現する工程である。この工程で、再現色彩対以外の色彩を有するイメージドラムを選択して非稼働状態に保持するイメージドラムアップダウン手順が実行される。
【００２３】
以上で各工程の概要説明を終了したので、次に主な工程毎にその詳細について説明する。
図５は、実施例の受信処理のフローチャートである。
以下にステップＳ２−１〜ステップＳ２−８に従って、上記受信処理（図１のステップＳ２）の詳細について説明する。      
【００２４】
ステップＳ２−１
画像処理部１１（図２）が上位装置２３（図２）から画像情報を受け入れて内部に所持する受信用バッファ（図示しない）に格納する。
ステップＳ２−２
制御部１３（図２）は、表示部１４（図２）から上記図４を用いて説明した２色印刷モード３３（図４）がクリックされているか否かをチェックする。２色印刷モード３３（図４）がクリックされている場合にはステップＳ２−３へ進み、２色印刷モード３３（図４）がクリックされていない場合にはフローを終了する。ここでは２色印刷モード３３で黒／赤モード３４（図４）がクリックされているものとする。
【００２５】
ステップＳ２−３
黒／赤モード３４（図４）がクリックされている場合にはステップＳ２−４へ進み、それ以外の場合にはステップＳ２−５へ進む。ここでは黒／赤モード３４（図４）がクリックされているのでステップＳ２−４へ進む。
ステップＳ２−４
制御部１３（図２）は、所定のフラグ領域に、黒／赤モードのフラグを立てる。
【００２６】
ステップＳ２−５、ステップＳ２−７を通り、フローを終了する。この状態では、所定の領域に黒／赤モードのフラグのみが立てられ、他のフラグ、即ち、黒／青モードのフラグ、黒／黄モードのフラグはセットされたままでフローを終了することになる。
以上説明したように予め選定されている黒／赤、黒／青、黒／黄の色彩対の中から２色印刷に用いられる再現色彩対が、黒／赤と選択され、色彩対選択手順が実行されたことになる。
【００２７】
尚、ここでは、黒／赤モードが選択されている場合（上記前提）についてのみ説明したが、他のモードが選択されている場合には、それぞれに該当するステップＳ２−５〜ステップＳ２−６、又はステップＳ２−７〜ステップＳ２−８を経てフローを終了する。
【００２８】
図６は、実施例の展開処理のフローチャートである。
以下にステップＳ３−１〜ステップＳ３−１２に従って、上記展開処理（図１のステップＳ３）の詳細について説明する。
ステップＳ３−１
制御部１３（図２）は、展開処理に当たって設定されているモードのフラグを検出する。ここでは黒／赤モードのフラグが立っているのでステップＳ３−２へ進む。
【００２９】
ステップＳ３−２
制御部１３（図２）は、印刷データ分離処理を実行する。ここで印刷データ分離処理の詳細について他の図を用いて説明する。
図７は、データの種類説明図である。
図８は、データの分離説明図である。
【００３０】
図７に示すように印刷データには文字データ（ａ）、図形データ（ｂ）、画像データ（ｃ）が含まれている。
文字データ（ａ）は、文字コード、色情報、文字の大きさ、字体、その他の属性情報等から構成されている。
図形データ（ｂ）は、ベクトルデータ、色情報、線の太さ、塗りつぶし情報、その他の属性情報等から構成されている。
画像データ（ｃ）は、例えばシアン（ｃ）、マゼンタ（ｍ）、イエロー（ｙ）、黒（ｋ）等の色毎に、それぞれの画像データ全体の属性情報を保有する。
【００３１】
印刷データ分離処理工程に於いて制御部１３（図２）は、印刷データを画像データと画像データ以外のデータとに分離する。この機能を図８に表している。図に於いて（ａ）は、受け入れた全てのデータを用いて印刷した画像である。つまり、この画像は画像データ３１、図形データ３８、文字データ３９に基づいて形成されている。
【００３２】
（ｂ）は、受け入れた全てのデータから画像データ３１のみを分離し、この画像データ３１に基づいて得られる画像である。つまり、この画像には、画像データから文字データを抜き取った白抜き部分３２も含まれている。
（ｃ）は、受け入れた全てのデータから画像データ以外のデータを分離し、その分離したデータに基づいて得られる画像である。つまり、この画像は図形データ３８や文字データ３９等に基づいている。
再度図６に戻って展開処理（図１のステップＳ３）の詳細についての説明を続ける。
【００３３】
ステップＳ３−３
制御部１３は、カラーの画像データ３１をグレースケールに展開してページバッファ（図示していない）に格納する。ここでグレースケールとは、画像データから彩度を除き、白黒の明暗のみによって画像データを表した状態を言う。
【００３４】
ステップＳ３−４
制御部１３は、画像データ以外のデータをマゼンタに変換してページバッファ（図示していない）に格納してフローを終了する。
尚、ここでは、黒／赤モードのフラッグが立っている場合についてのみ説明したが、他のフラッグが立っている場合には、それぞれに該当するステップＳ３−５〜ステップＳ３−８、又はステップＳ３−９〜ステップＳ３−１２を経てフローを終了する。
以上説明したように印刷データが画像データとその他データに分離され、それぞれ別個に展開されるので印刷データ分離手順と印刷データ展開手順がそれぞれ実行されたことになる。
【００３５】
図９は、実施例の印刷処理のフローチャートである。
以下にステップＳ４−１〜ステップＳ４−１０に従って、上記印刷処理（図１のステップＳ４）の詳細について説明する。
ステップＳ４−１
制御部１３（図２）は、展開処理に当たって設定されているモードのフラグを検出する。ここでは黒／赤モードのフラグが立っているのでステップＳ４−２へ進む。
【００３６】
ステップＳ４−２
制御部１３（図２）は、メカニカル制御部１５（図２）を制御してブラック及びマゼンタ以外のイメージドラムを印刷用紙２２（図２）から離間する上部に移動させて非稼働状態に保持する。この処理は、未使用のイメージドラムを非稼働状態に保持することによってトナー汚れを防いだり、あるいは又実際には使用していないのにイメージドラムの寿命が短くなるのを防止するためである。
【００３７】
ステップＳ４−３
制御部１３（図２）は、印刷データを画像形成部１２（図２）へ送り印刷処理を開始する。  ステップＳ４−１０
フラグがクリアされて印刷処理を終了する。
尚、ここでは、黒／赤モードのフラッグが立っている場合についてのみ説明したが、他のフラッグが立っている場合には、それぞれに該当するステップＳ４−４〜ステップＳ４−６、又はステップＳ４−７〜ステップＳ３−９を経てステップＳ４−１０に至りフローを終了する。
【００３８】
以上説明したように実際に再現される黒／赤モードに用いられる以外のイメージドラムが非稼働状態に保持されることによってイメージドラムアップダウン手順が、実行されたことになる。この状態を図を用いて説明する。
図１０は、イメージドラムアップダウン手順の説明図である。
図に於いて（ａ）は、イメージドラムアップダウン手順実行前の状態であり、（ｂ）は、イメージドラムアップダウン手順実行後の状態である。（ｂ）より非稼働状態のイメージドラムが印刷用紙２２（図２）の進行方向の上部に移動されて非稼働状態になっていることが表されている。
【００３９】
次に以上説明した実施例の一部変更例について説明する。
上記実施例では、画像形成装置の所定の位置に所定のイメージドラムが装着されていることが前提であった。しかし、かかる構成では、２色印刷のみを長時間実行することができない場合が発生する。この問題を解決すべく制御方法を以下のように一部変更する。
【００４０】
制御方法を一部変更するに当たって、表示部１４（図２）の案内画面とイメージドラムの構造の一部を以下のように変更する。
図１１は、案内画面の説明図（その３）である。
図の最上部に表されている、用紙、レイアウト、カラー、印刷品位、ウォータマーク、フォント、オーバーレイをマウスでクリックすると各項目の詳細設定に移行する。ここでは本発明に直接関係するカラー３７をマウスでクリックした場合のみについて説明する。カラーを選択すると、カラーモードの項目に２色印刷モード３３が表示され、また、その下には、２色印刷モードの詳細として黒／赤モード３４のみが表示され、２色印刷モード３３と黒／赤モード３４が、自動的に有効になる（○が◎に換わる）。尚、黒／赤モード３４については、必ずしもこのモードに限定されるものではなく、他のモードに設定されるようにしても良い。
【００４１】
次に、イメージドラムの構造を以下のように変更する（一例）。
ブラックイメージドラム１６、イエローイメージドラム１７、マゼンタイメージドラム１８、及びシアンイメージドラム１９の一部又はドラムを含む各カセットの一部に、画像形成部１２（図２）本体に装着されたときに各々の色彩を表す色情報を取得できるように各ドラム毎に固有の構成を設ける。例えば各ドラムの固有位置に被コンタクト部を設け、画像形成部の各ドラム装着位置に複数の電気的コンタクトを、位置をずらせて設ける。そして、メカニカル制御部１５により各装着位置毎に何れかの電気的コンタクトからの装着信号であるかを検知させることにより装着されたイメージドラムを判定することができる。他の構成部分は上記実施例と全く同様なので説明を省略する。
【００４２】
次に制御方法の一部変更について説明する。
上記実施例の説明では、ウォーミングアップ処理工程そのものであり、定着ユニット２０（図２）の温度をある程度まで上昇させるための動作や、印刷濃度の補正、イメージドラムの有無検出などプリンタが稼働できるまでの準備処理のみが実行されている。変更例の制御方法では、上記ウォーミングアップ処理に加えて、新たに色情報取得手順とデータ振り分け設定手順とが実行される。
【００４３】
図１２は、ウォーミングアップ処理の一部追加フローチャートである。
以下にステップＳ１−１〜ステップＳ１−４に従って、その詳細について説明する。
ステップＳ１−１
各メカニカル制御部１５（図２）は、装着されているイメージドラムから上記色情報を取得する。この部分が色情報取得手順に該当する。
【００４４】
ステップＳ１−２
各メカニカル制御部１５（図２）は、全てのイメージドラムが全て各装着位置に装着されていればカラー印刷可能としてフローを終了する。一方一部のイメージドラムが未装着の場合にはステップＳ１−３へ進む。
【００４５】
ステップＳ１−３
各メカニカル制御部１５（図２）は、２色印刷に必要な２個のイメージドラム、例えばブラックイメージドラム１６（図２）とマゼンタイメージドラム１８（図２）が所定の位置に装着している場合は２色印刷可能としてフローを終了する。ここではブラックイメージドラム１６（図２）とマゼンタイメージドラム１８（図２）が装着されてはいるが所定の位置以外の位置に装着されているものとする。
【００４６】
ステップＳ１−４
メカニカル制御部１５（図２）は、色情報を制御部１３（図２）へ送出する。
ステップＳ１−５
制御部１３（図２）は、メカニカル制御部１５（図２）を制御して色情報に基づいて所定のイメージドラムに所定の印刷データが振り分けられるようにレジスタをセットさせてフローを終了する。この部分がデータ振り分け設定手段に該当する。
【００４７】
以上の説明では、受信した印刷データを画像データ、文字データ、図形データの３種類の形態に分離し、例えば画像データを色彩対の１色彩で表現し、文字データ及び図形データを色彩対の他の色彩で表現する場合について説明した。しかし、本発明は、この例に限定されるものでは無い。即ち、受信データの中から、例えば画像データのみの画像（１印刷形態のみの画像）、文字データ及び図形データからなる画像（２印刷形態の画像）を判断し、１印刷形態のみの画像については単色印刷し、２印刷形態の画像の場合には２色印刷することも可能である。
【産業上の利用可能性】
【００４８】
上記説明では、上位装置から画像形成装置が直接印刷データを受信場合に限定して説明したが、本発明はこの例に限定されるものではなく、上位装置から、ネットワーク経由で印刷データが画像形成装置に送られるようにしても良い。
【図面の簡単な説明】
【００４９】
【図１】実施例の基本動作のフローチャートである。
【図２】画像形成装置の説明図である。
【図３】案内画面の説明図（その１）である。
【図４】案内画面の説明図（その２）である。
【図５】実施例の受信処理のフローチャートである。
【図６】実施例の展開処理のフローチャートである。
【図７】データの種類説明図である。
【図８】データの分離説明図である。
【図９】実施例の印刷処理のフローチャートである。
【図１０】イメージドラムアップダウン手順の説明図である。
【図１１】案内画面の説明図（その３）である。
【図１２】ウォーミングアップ処理の一部追加フローチャートである。
【符号の説明】
【００５０】
Ｓ１  ウォーミングアップ処理
Ｓ２  受信処理（色彩対選択手順）
Ｓ３  展開処理（印刷データ分離手順、印刷データ展開手順）
Ｓ４  印刷処理（イメージドラムアップダウン手順）
【図１】
2005074983.tif 000003
【図２】
2005074983.tif 000004
【図３】
2005074983.tif 000005
【図４】
2005074983.tif 000006
【図５】
2005074983.tif 000007
【図６】
2005074983.tif 000008
【図７】
2005074983.tif 000009
【図８】
2005074983.tif 000010
【図９】
2005074983.tif 000011
【図１０】
2005074983.tif 000012
【図１１】
2005074983.tif 000013
【図１２】
2005074983.tif 000014